(57)【特許請求の範囲】
【請求項１】
少なくとも１つのＡＣ回路電力線通信（ＰＬＣ）インジェクションモジュールを含むシステムであって、前記ＡＣ回路ＰＬＣインジェクションモジュールは、ＡＣ電力信号を受け取るＡＣ電力入力部と、前記ＡＣ電力信号上にＰＬＣ信号を結合させるＰＬＣ送信機と、ＡＣ電力及びＰＬＣ信号を出力する少なくとも第１のＡＣ回路出力部と、前記ＡＣ電力入力部へ通過することから前記ＰＬＣ信号をフィルタリングするＰＬＣブロッキングラインフィルタと、前記ＡＣ電力入力部と少なくとも前記第１のＡＣ回路出力部との間に接続される電力継電器と、ＡＣ回路出力部を介して前記少なくとも１つのＡＣ回路ＰＬＣインジェクションモジュールに接続される複数のＰＬＣ対応装置にＰＬＣネットワークＩＤを割り当てる過程中に、選択的に前記第１のＡＣ回路出力部がＡＣ電力を出力することを有効にし、前記第１のＡＣ回路出力部がＡＣ電力を出力することを無効にするように前記電力継電器を制御するプロセッサとを含み、前記電力継電器は、ＰＬＣネットワークＩＤでそれぞれ構成されるまでＰＬＣ対応装置を隔離する、システム。
【請求項２】
前記少なくとも１つのＡＣ回路ＰＬＣインジェクションモジュールが、前記ＡＣ電力及びＰＬＣ信号を出力する少なくとも第２のＡＣ回路出力部を含み、第１のＡＣ回路出力部及び第２のＡＣ回路出力部は、少なくとも１つの回路遮断器によって互いに隔離されている、請求項１に記載のシステム。
【請求項３】
前記少なくとも１つのＡＣ回路ＰＬＣインジェクションモジュールが、前記ＡＣ電力信号を受け取る少なくとも第２のＡＣ電力入力部と、前記ＡＣ電力信号上に第２のＰＬＣ信号を結合させる少なくとも第２のＰＬＣ送信機と、ＡＣ電力及び第２のＰＬＣ信号を出力する少なくとも第２のＡＣ回路出力部と、第２のＡＣ電力入力部へ通過することから第２のＰＬＣ信号をフィルタリングする第２のＰＬＣブロッキングラインフィルタとを更に含む、請求項１に記載のシステム。
【請求項４】
第１のＰＬＣ送信機が第１のＰＬＣネットワークＩＤを有し、第２のＰＬＣ送信機が第１のＰＬＣネットワークＩＤとは異なる第２のＰＬＣネットワークＩＤを有する、請求項３に記載のシステム。
【請求項５】
前記少なくとも１つのＡＣ回路ＰＬＣインジェクションモジュールが、第１のＡＣ電力信号とは異なる第２のＡＣ電力信号を受け取る少なくとも第２のＡＣ電力入力部と、第２のＡＣ電力信号上に第２のＰＬＣ信号を結合させる少なくとも第２のＰＬＣ送信機と、ＡＣ電力及び第２のＰＬＣ信号を出力する少なくとも第２のＡＣ回路出力部と、第２のＡＣ電力入力部へ通過することから第２のＰＬＣ信号をフィルタリングする第２のＰＬＣブロッキングラインフィルタとを更に含む、請求項１に記載のシステム。
【請求項６】
前記少なくとも１つのＡＣ回路ＰＬＣインジェクションモジュールが、少なくとも第２のＡＣ回路ＰＬＣインジェクションモジュールを含み、第２のＡＣ回路ＰＬＣインジェクションモジュールは、ＡＣ電力信号を受け取る第２のＡＣ電力入力部と、前記ＡＣ電力信号上に第２のＰＬＣ信号を結合させる第２のＰＬＣ送信機と、ＡＣ電力及び第２のＰＬＣ信号を出力する少なくとも第２のＡＣ回路出力部と、第２のＡＣ電力入力部へ通過することから第２のＰＬＣ信号をフィルタリングする第２のＰＬＣブロッキングラインフィルタとを含む、請求項１に記載のシステム。
【請求項７】
第１のＰＬＣ送信機が第１のＰＬＣネットワークＩＤを有し、第２のＰＬＣ送信機が第１のＰＬＣネットワークＩＤとは異なる第２のＰＬＣネットワークＩＤを有する、請求項６に記載のシステム。
【請求項８】
第１のＡＣ回路出力部に接続され、第１のＡＣ回路出力部からＰＬＣ信号を受け取る少なくとも第１のＰＬＣ受信機と、第２のＡＣ回路出力部に接続され、第２のＡＣ回路出力部から第２のＰＬＣ信号を受け取る少なくとも第２のＰＬＣ受信機とを更に含み、第１のＰＬＣ受信機は第１のＰＬＣネットワークＩＤを有し、第２のＰＬＣ受信機は第２のＰＬＣネットワークＩＤを有する、請求項７に記載のシステム。
【請求項９】
第１のＡＣ回路出力部と少なくとも一つのＰＬＣ受信機との間のある点に接続されるＰＬＣリピータを更に含み、前記ＰＬＣ送信機が第１のＰＬＣネットワークＩＤを有し、前記少なくとも一つのＰＬＣ受信機が、第１のＰＬＣネットワークＩＤとは異なる第２のＰＬＣネットワークＩＤを有し、ＰＬＣデータが前記ＰＬＣリピータを介して前記ＰＬＣ送信機と前記ＰＬＣ受信機との間で伝達される、請求項１に記載のシステム。
【請求項１０】
前記複数のＰＬＣ対応装置のそれぞれについてＰＬＣネットワークＩＤを既定のＰＬＣネットワークＩＤに設定し、前記複数のＰＬＣ対応装置のそれぞれが前記既定のＰＬＣネットワークＩＤに設定された後、前記ＰＬＣ送信機のそれぞれに接続される前記複数のＰＬＣ対応装置のそれぞれに対し、当該ＰＬＣ送信機に一意に割り当てられたＰＬＣネットワークＩＤを割り当てることによって、ＰＬＣ対応装置にＰＬＣネットワークＩＤを割り当てる、請求項１に記載のシステム。
【請求項１１】
前記複数のＰＬＣ対応装置のそれぞれについて前記ＰＬＣネットワークＩＤを前記既定のネットワークＩＤに設定することが、
（１）ＰＬＣ対応電力及びデータ分配システムによって使用される可能なＰＬＣネットワークＩＤの有限一覧の中の被選択ＰＬＣネットワークＩＤを有するように前記ＰＬＣ送信機のうちの選択されたものを構成することと、
（２）前記被選択ＰＬＣネットワークＩＤに構成される選択されたＰＬＣ送信機に接続される任意のＰＬＣ対応装置を発見することと、
（３）発見された任意のＰＬＣ対応装置のＰＬＣネットワークＩＤを既定のＰＬＣネットワークＩＤに変更することと、
（４）可能なＰＬＣネットワークＩＤの有限一覧の中のＰＬＣネットワークＩＤごとに（１）から（３）を繰り返すこととを含む、請求項１０に記載のシステム。
【請求項１２】
前記ＰＬＣ送信機のそれぞれに接続される前記複数のＰＬＣ対応装置のそれぞれに対し、当該ＰＬＣ送信機に一意に割り当てられたＰＬＣネットワークＩＤを割り当てることが、第１のＰＬＣ送信機に関連するＡＣ回路を除く全てのＡＣ回路への電力をオフにし、電力オンのままである任意のＰＬＣ対応装置を第１の一意のＰＬＣネットワークＩＤで構成し、第１の一意のＰＬＣネットワークＩＤを有するように第１のＰＬＣ送信機を構成することを含む、請求項１１に記載のシステム。
【請求項１３】
第１のＰＬＣ送信機及び第２のＰＬＣ送信機に関連するＡＣ回路を除く全てのＡＣ回路への電力をオフにし、電力オンのままである任意のＰＬＣ対応装置を第２の一意のＰＬＣネットワークＩＤで構成し、第２の一意のＰＬＣネットワークＩＤを有するように第２のＰＬＣ送信機を構成する、請求項１２に記載のシステム。
【請求項１４】
前記複数のＰＬＣ対応装置のそれぞれについて前記ＰＬＣネットワークＩＤを前記既定のＰＬＣネットワークＩＤに設定することは、前記複数のＰＬＣ対応装置のそれぞれが、電源投入後の所定の期間内に前記ＰＬＣ送信機から前記ＰＬＣ信号を一切受け取らない場合、自らのＰＬＣネットワークＩＤを前記既定のＰＬＣネットワークＩＤに自動で設定することを含む、請求項１０に記載のシステム。
【請求項１５】
前記複数のＰＬＣ対応装置のそれぞれについてＰＬＣネットワークＩＤを既定のＰＬＣネットワークＩＤに設定することが、前記ＰＬＣ対応装置に割り当てられたＰＬＣネットワークＩＤに関係なく、前記ＰＬＣ対応装置の全てによって受け取られ得るグローバルコマンドを前記ＰＬＣ送信機のうちの１つがブロードキャストすることを含み、前記グローバルコマンドは前記ＰＬＣ対応装置の全てに対し、自らのＰＬＣネットワークＩＤを既定のＰＬＣネットワークＩＤにリセットするように命令する、請求項１０に記載のシステム。
【発明の詳細な説明】
【技術分野】
【０００１】
[0001]  本願は、参照によりその全体を本明細書に完全に記載されているものとして援用する、２０１３年１月１８日にブラッドフォード・トーマス・コルスキー（Bradford Thomas Kolsky）らの名義で出願された米国仮特許出願第６１／７５４，０８８号の優先権を米国特許法第１１９条（ｅ）の下で主張する。
【０００２】
[0002]  本発明は一般に、例えば既存の電力ケーブルインフラを使用する娯楽、劇場、イベントの照明用途によくあるような、一時的な電力及びデータの分配を必要とする照明設備内の電力線通信を対象とする。
【背景技術】
【０００３】
[0003]  劇場やイベントの照明等の一時的な照明用途では、中心位置から電力が必要とされる場所まで電力を分配するために、仮設の配電システムの使用を伴うことが多い。これらの配電システムは、例えば４００Ａ、１２０／２０８ＶＡＣ、３相等の１組の大電流３相ＡＣ入力接続と、多くの低電力、例えば２０Ａの単相出力接続とを備えることが多い。多くの場合、複数の並列接続のケーブルの敷設を容易にするために、複数の個別の回路が単一のマルチケーブル構成へと一つに束ねられる。
【０００４】
[0004]  図１は、複数の電力出力コネクタ１１０を有する配電ラック１００の一例を示す。図２は、配電ラック１００と共に使用され得る６回路マルチケーブル２００の一例を示す。
【０００５】
[0005]  知的に制御可能な照明器具は、一般に業界標準のＤＭＸ５１２−Ａ制御プロトコルによって、又は幾つかのイーサネット（登録商標）プロトコルのうちの１つによって制御される。殆どの種類の器具及び応用例では、電力線とデータ線とが別々に通されなければならない。電力ケーブルに比べ、データケーブルは比較的繊細である傾向があり、より注意して扱われなければならない。
【０００６】
[0006]  コンピュータネットワーキング業界は、イーサネット（登録商標）データをＡＣ電力線上で伝送する方法を開発した。かかる電力線通信（ＰＬＣ:power line communication）は、住宅向けのコンピュータネットワーキングに適度に上手く機能する。
【０００７】
[0007]  従来のＰＬＣ技術は、ＰＬＣデータが或る回路から別の回路に電気パネルを介して伝搬することを可能にするロバストな性能を提供するが、これは必ずしも確実に起こるとは限らず、電気システムの規模及び複雑さ、システムに接続される装置、配線の経路設定、並びに環境条件に依存する。
【０００８】
[0008]  参照により本明細書に援用するhttp://colorkinetics.com/IntelliPower/に記載されているように、小規模及び中規模の照明ネットワーク用の既存の電気インフラを用いたデジタル制御可能なＬＥＤ照明ソリューションを可能にするために、ＰＬＣに基づく手法が最近展開されている。しかし、より大規模な照明システム、とりわけ娯楽、劇場、及びイベントの照明用途で一時的に設置される照明システムを制御するには、機能的な／高信頼の動作及び拡張性を確実にするために特別な注意が払われなければならず、それは単一のＰＬＣネットワークが帯域幅の面で限られており、大規模な照明システムを確実に制御するのに十分な容量を有さない場合があるからである。
【０００９】
[0009]  更に、配電システムの規模及び複雑さは用途ごとに大きく異なる。多くのシステムにおいて、単一のＰＬＣ送信機が全てのＰＬＣノードに到達するのに十分な信号強度を有さない場合もある。ＰＬＣ送信機は、自らが通信できるノード数及びサポートできる帯域幅の面でも限られている。
【００１０】
[0010]  ケーブルが（マルチ回路マルチケーブル又は束ねて配線される任意のケーブルの場合にそうであるように）互いに近接して通される場合、ＰＬＣデータ又は信号が、或るＡＣ回路から別の（電気的に隔離された）ＡＣ回路に結合し又は「ジャンプ」することができる。これは干渉、予測不能な性能を引き起こす可能性があり、システム内の様々なＰＬＣ対応装置の位置を識別することを困難にし得る（このことはシステム構成に問題となる）。
【００１１】
[0011]  ＰＬＣ対応装置が新たな応用例の中に導入されると、それらの装置は未知のＰＬＣネットワークＩＤで構成される可能性が高い。セキュリティ上の理由から、それが何かを知ることなしにこのネットワークＩＤを遠隔的に変更することはできない場合がある。
【００１２】
[0012]  娯楽／イベント業界における器具の多くがレンタル会社によって所有されている。この器具は現場から現場へと移動され、大抵は用途ごとに再構成されなければならない。この脈絡では、配電が素早く準備され、解体されること、及び回路が非常に高信頼に動作することが重要である。更に、これらの企業は図２に示されている６回路マルチケーブル２００等の既存のケーブルにかなり投資しており、ＰＬＣ対応装置を使用する仮設照明及びマルチメディア設備にそれらの同じケーブルを使用することが望ましい。
【発明の概要】
【発明が解決しようとする課題】
【００１３】
[0013]  従って、帯域幅を増やし、コストを減らし、導入のし易さ、信頼性、及びセキュリティを改善する方法で、とりわけ仮設照明及びマルチメディア設備用のＰＬＣ制御システムを拡張し構成できるようにすることが望ましい。
【課題を解決するための手段】
【００１４】
[0014]  概して、様々な実施形態及び実装形態において、本発明の一態様は、それぞれが特定の回路又は回路群に戦略的に接続される一意のＰＬＣネットワークＩＤを有する複数のＰＬＣ送信機を使用することにより、システム容量の問題に対処することができる。追加される各ＰＬＣ送信機によってＰＬＣノード量の制限を増やせるようにし、（機能上の問題を引き起こし得る）複数のＰＬＣ対応装置が同じネットワーク上で同じデータを伝送することを防ぐために、各ＰＬＣ送信機に一意のＰＬＣネットワークＩＤが割り当てられ得る。利用可能帯域幅を消費し、システムの容量を制限する場合がある、ＰＬＣ信号が（他のＰＬＣネットワークを伴う）他のＡＣ回路の電力線上に結合されることを防ぐために、ＰＬＣブロッキングラインフィルタが入力ＡＣ電源（入力ＡＣ電力接続）に対して直列に設置されても良い。
【００１５】
[0015]  更に、一部の実施形態では、各ＰＬＣ送信機に接続されるＡＣ回路を（構成過程中に他のＡＣ回路への電力をオフにすることによって）隔離するために、システムの構成中に電力継電器が使用されても良い。
【００１６】
[0016]  従来の照明及び調光器ラックを使用する照明システムは、照明用具の隣に位置するＰＬＣ対応単一チャネル調光器を使用することにより、潜在的にかなりの量のＡＣ電力ケーブル（並びにデータケーブル）を節約することができる。例えば、従来の調光器ラック調光システムを用いて４つの５７５ワットの楕円スポットライトを独立に制御するには、４つの別々の回路について、ケーブルが調光器ラックから照明用具まで通る必要がある。従って、（４つの回路ではなく）単一のＡＣ電力回路を通すことにより、４つの楕円照明用具のそれぞれを独立に制御できるようにする単一チャネルのＰＬＣ対応調光器を各照明用具の隣に設置することが有益である。
【００１７】
[0017]  本明細書に開示される手法は、仮設配電システム及び制御データの使用を必要とする任意の用途に特に適している。これらの仮設配電システムは、柔軟な構成でかなりの量の電力を必要とする業界、例えば娯楽／劇場／イベントの照明用途で一般的である。
【００１８】
[0018]  概して、一態様では、本発明は組み込まれたＰＬＣ機能を有する配電システムに関する。このシステムは、１つ又は複数のＰＬＣ受信機、ＰＬＣトランシーバ回路を含むＡＣ回路ＰＬＣインジェクタ、任意選択的に少なくとも１つの電力継電器、一意のＰＬＣネットワークＩＤをそれぞれ有する複数のＰＬＣ送信機、及びＰＬＣブロッキングラインフィルタを含む。別の態様では、複数の独立したＰＬＣネットワークを容易に構成することにより、並列ＡＣ線間のクロストークの悪影響を減らすための方法が提供され、設備内の各ＰＬＣ送信機は一意のＰＬＣネットワークＩＤで構成され、各ＰＬＣ受信機は自らが接続されている送信機と同じＰＬＣネットワークＩＤで構成される。
【００１９】
[0019]  一態様では、システムが、少なくとも１つのＡＣ回路電力線通信（ＰＬＣ）インジェクションモジュールを含み、そのＡＣ回路ＰＬＣインジェクションモジュールは、ＡＣ電力信号を受け取るように構成されるＡＣ電力入力部と、ＡＣ電力信号上にＰＬＣ信号を結合させるように構成されるＰＬＣトランシーバ回路と、ＡＣ電力及びＰＬＣ信号を出力するように構成される少なくとも第１のＡＣ回路出力部と、ＡＣ電力入力部へ通過することからＰＬＣ信号をフィルタリングするように構成されるＰＬＣブロッキングラインフィルタとを含む。
【００２０】
[0020]  １つ又は複数の実施形態では、システムが、ＡＣ電力入力部と少なくとも１つのＡＣ回路出力部との間に接続される電力継電器を更に含み、電力継電器は、第１のＡＣ回路出力部がＡＣ電力を出力することを選択的に無効にするように制御されるように構成される。
【００２１】
[0021]  これらの実施形態の一部の改変形態では、少なくとも１つのＡＣ回路ＰＬＣインジェクションモジュールが、ＡＣ電力及びＰＬＣ信号を出力するようにそれぞれ構成される少なくとも第２のＡＣ回路出力部を含み、第１のＡＣ回路出力部及び第２のＡＣ回路出力部は、少なくとも１つの回路遮断器によって互いに隔離されている。
【００２２】
[0022]  １つ又は複数の実施形態では、少なくとも１つのＡＣ回路ＰＬＣインジェクションモジュールが、ＡＣ電力信号を受け取るように構成される第２のＡＣ電力入力部と、ＡＣ電力信号上に第２のＰＬＣ信号を結合させるように構成される第２のＰＬＣトランシーバ回路と、ＡＣ電力及び第２のＰＬＣ信号を出力するように構成される少なくとも第２のＡＣ回路出力部と、第２のＡＣ電力入力部へ通過することから第２のＰＬＣ信号をフィルタリングするように構成される第２のＰＬＣブロッキングラインフィルタとを更に含む。
【００２３】
[0023]  これらの実施形態の一部の改変形態では、第１のＰＬＣトランシーバ回路が第１のＰＬＣネットワークＩＤを有するように構成され、第２のＰＬＣトランシーバ回路が、第１のＰＬＣネットワークＩＤとは異なる第２のＰＬＣネットワークＩＤを有するように構成される。
【００２４】
[0024]  １つ又は複数の実施形態では、少なくとも１つのＡＣ回路ＰＬＣインジェクションモジュールが、第１のＡＣ電力信号とは異なる第２のＡＣ電力信号を受け取るように構成される第２のＡＣ電力入力部と、第２のＡＣ電力信号上に第２のＰＬＣ信号を結合させるように構成される第２のＰＬＣトランシーバ回路と、ＡＣ電力及び第２のＰＬＣ信号を出力するように構成される少なくとも第２のＡＣ回路出力部と、第２のＡＣ電力入力部へ通過することから第２のＰＬＣ信号をフィルタリングするように構成される第２のＰＬＣブロッキングラインフィルタとを更に含む。
【００２５】
[0025]  １つ又は複数の実施形態では、少なくとも１つのＡＣ回路ＰＬＣインジェクションモジュールが、少なくとも第２のＡＣ回路ＰＬＣインジェクションモジュールを含み、第２のＡＣ回路ＰＬＣインジェクションモジュールは、ＡＣ電力信号を受け取るように構成される第２のＡＣ電力入力部と、ＡＣ電力信号上に第２のＰＬＣ信号を結合させるように構成される第２のＰＬＣトランシーバ回路と、ＡＣ電力及び第２のＰＬＣ信号を出力するように構成される少なくとも第２のＡＣ回路出力部と、第２のＡＣ電力入力部へ通過することから第２のＰＬＣ信号をフィルタリングするように構成される第２のＰＬＣブロッキングラインフィルタとを含む。
【００２６】
[0026]  これらの実施形態の一部の改変形態では、第１のＰＬＣトランシーバ回路が第１のＰＬＣネットワークＩＤを有するように構成され、第２のＰＬＣトランシーバ回路が、第１のＰＬＣネットワークＩＤとは異なる第２のＰＬＣネットワークＩＤを有するように構成される。
【００２７】
[0027]  １つ又は複数の実施形態では、システムが、第１のＡＣ回路出力部に接続され、そこからＰＬＣ信号を受け取るように構成される少なくとも第１のＰＬＣ受信機と、第２のＡＣ回路出力部に接続され、そこから第２のＰＬＣ信号を受け取るように構成される少なくとも第２のＰＬＣ受信機とを更に含み、第１のＰＬＣ受信機は第１のＰＬＣネットワークＩＤを有するように構成され、第２のＰＬＣ受信機は第２のＰＬＣネットワークＩＤを有するように構成される。
【００２８】
[0028]  １つ又は複数の実施形態では、システムが、第１のＡＣ回路出力部とＰＬＣ受信機との間に接続されるＰＬＣリピータを更に含み、ＰＬＣトランシーバ回路が第１のＰＬＣネットワークＩＤを有するように構成され、ＰＬＣ受信機が、第１のＰＬＣネットワークＩＤとは異なる第２のＰＬＣネットワークＩＤを有するように構成され、ＰＬＣデータがＰＬＣリピータを介してＰＬＣトランシーバ回路とＰＬＣ受信機との間で伝達される。
【００２９】
[0029]  別の態様では、複数のＰＬＣ送信機の１つにそれぞれ関連する複数のＡＣ回路を介して複数のＰＬＣ対応装置に接続される、複数のＰＬＣ送信機を有するＰＬＣ対応電力及びデータ分配システムに接続されるＰＬＣ対応装置を構成するための方法が提供される。この方法は、複数のＰＬＣ対応装置のそれぞれについてＰＬＣネットワークＩＤを既定のＰＬＣネットワークＩＤに設定するステップと、複数のＰＬＣ対応装置のそれぞれが既定のＰＬＣネットワークＩＤに設定された後、ＰＬＣ送信機のそれぞれに接続される複数のＰＬＣ対応装置のそれぞれに対し、そのＰＬＣ送信機に一意に割り当てられたＰＬＣネットワークＩＤを割り当てるステップとを含む。
【００３０】
[0030]  １つ又は複数の実施形態では、複数のＰＬＣ対応装置のそれぞれについてＰＬＣネットワークＩＤを既定のネットワークＩＤに設定するステップが、（１）ＰＬＣ対応電力及びデータ分配システムによって使用される可能なＰＬＣネットワークＩＤの有限一覧の中の被選択ＰＬＣネットワークＩＤを有するようにＰＬＣ送信機のうちの選択されたものを構成するステップと、（２）被選択ＰＬＣネットワークＩＤに構成される選択されたＰＬＣ送信機に接続される任意のＰＬＣ対応装置を発見するステップと、（３）発見された任意のＰＬＣ対応装置のＰＬＣネットワークＩＤを既定のＰＬＣネットワークＩＤに変更するステップと、（４）可能なＰＬＣネットワークＩＤの有限一覧の中のＰＬＣネットワークＩＤごとにステップ（１）からステップ（３）を繰り返すステップとを含む。
【００３１】
[0031]  これらの実施形態の一部の改変形態では、ＰＬＣ送信機のそれぞれに接続される複数のＰＬＣ対応装置のそれぞれに対し、そのＰＬＣ送信機に一意に割り当てられたＰＬＣネットワークＩＤを割り当てるステップが、第１のＰＬＣ送信機に関連するＡＣ回路を除く全てのＡＣ回路への電力をオフにするステップと、オンのままである任意のＰＬＣ対応装置を第１の一意のＰＬＣネットワークＩＤで構成するステップと、割り当てられた第１のＰＬＣネットワークＩＤを有するように第１のＰＬＣ送信機を構成するステップとを含む。
【００３２】
[0032]  これらの実施形態の一部の改変形態では、この方法が、第１のＰＬＣ送信機及び第２のＰＬＣ送信機に関連するＡＣ回路を除く全てのＡＣ回路への電力をオフにするステップと、オンのままであり、非既定のＰＬＣネットワークＩＤで構成されていない任意のＰＬＣ対応装置を第２の一意のＰＬＣネットワークＩＤで構成するステップと、割り当てられた第２のＰＬＣネットワークＩＤを有するように第２のＰＬＣ送信機を構成するステップとを更に含む。
【００３３】
[0033]  １つ又は複数の実施形態では、複数のＰＬＣ対応装置のそれぞれについてＰＬＣネットワークＩＤを既定のＰＬＣネットワークＩＤに設定するステップは、複数のＰＬＣ対応装置のそれぞれが、電源投入後の所定の期間内にＰＬＣ送信機からＰＬＣ信号を一切受け取らない場合、自らのＰＬＣネットワークＩＤを既定のＰＬＣネットワークＩＤに自動で設定するステップを含む。
【００３４】
[0034]  これらの実施形態の一部の改変形態では、ＰＬＣ送信機のそれぞれに接続される複数のＰＬＣ対応装置のそれぞれに対し、そのＰＬＣ送信機に一意に割り当てられたＰＬＣネットワークＩＤを割り当てるステップは、ＰＬＣ対応配電システムが、各ＰＬＣ送信機に関連する全てのＡＣ回路を、或るＰＬＣ送信機に関連するＡＣ回路のスイッチオンと次のＰＬＣ送信機のＡＣ回路のスイッチオンとの間の遅延間隔を伴って逐次的にオンにするステップと、ＰＬＣ対応配電システム及びＰＬＣ対応装置のそれぞれにおいて、電源がオンにされてからの経過時間を追跡するステップと、第１の時間にわたってオンにされている全てのＰＬＣ対応装置に対し、自らのＰＬＣネットワークＩＤを第１の一意のＰＬＣネットワークＩＤに変更するように命令する１つ又は複数の第１のブロードキャストＰＬＣパケットを伝送するステップと、ＰＬＣ送信機のそれぞれに接続される複数のＰＬＣ対応装置のそれぞれがそのＰＬＣ送信機に一意に割り当てられたＰＬＣネットワークＩＤに割り当てられるまで、複数の更なる様々な時間のそれぞれにわたってオンである全ての対応装置に対し、自らのＰＬＣネットワークＩＤを対応する一意のＰＬＣネットワークＩＤに変更するように命令する１つ又は複数の追加のブロードキャストＰＬＣパケットを伝送するステップとを含む。
【００３５】
[0035]  １つ又は複数の実施形態では、複数のＰＬＣ対応装置のそれぞれについてＰＬＣネットワークＩＤを既定のＰＬＣネットワークＩＤに設定するステップが、ＰＬＣ対応装置に割り当てられたＰＬＣネットワークＩＤに関係なく、ＰＬＣ対応装置の全てによって受け取られ得るグローバルコマンドをＰＬＣ送信機のうちの１つがブロードキャストするステップを含み、グローバルコマンドはＰＬＣ対応装置の全てに対し、自らのＰＬＣネットワークＩＤを既定のＰＬＣネットワークＩＤにリセットするように命令する。
【００３６】
[0036]  本開示は、ＰＬＣ送信機及びＰＬＣ受信機に時折言及する。このことは、これらの装置の通常動作中の典型的な機能と解釈されるべきである。実際にＰＬＣ送信機及びＰＬＣ受信機は、それぞれデータの送受信の両方を完全にこなすことができるので、より正確にＰＬＣトランシーバと呼ばれても良い。
【００３７】
[0037]  本明細書で開示されるシステム及び方法は、仮設配電システム及び制御データの使用を必要とする任意の用途に有用であり得る。これらの仮設配電システムは、柔軟な構成でかなりの量の電力を必要とする業界で一般的である。
【００３８】
[0038]  本開示の目的で本明細書において使用される場合、「ＬＥＤ」との用語は、任意のエレクトロルミネセンスダイオード、又は、電気信号に呼応して放射を発生できる、その他のタイプのキャリア注入／接合ベースシステム（carrier injection/junction-based system）を含むものと理解すべきである。したがって、ＬＥＤとの用語は、次に限定されないが、電流に呼応して発光する様々な半導体ベースの構造体、発光ポリマー、有機発光ダイオード（ＯＬＥＤ）、エレクトロルミネセンスストリップ等を含む。特に、ＬＥＤとの用語は、赤外スペクトル、紫外スペクトル、及び（通常、約４００ナノメートルから約７００ナノメートルまでの放射波長を含む）可視スペクトルの様々な部分のうちの１つ又は複数における放射を発生させることができるすべてのタイプの発光ダイオード（半導体及び有機発光ダイオードを含む）を指す。
【００３９】
[0039]  「照明固定具」との用語は、本明細書では、特定の形状因子、アセンブリ又はパッケージの１つ以上の照明ユニットの実施態様又は配置を指すために使用される。「照明ユニット」との用語は、本明細書では、同じ又は異なるタイプの１つ以上の光源を含む装置を指して使用される。所与の照明ユニットは、様々な光源の取付け配置、筐体／ハウジング配置及び形状、並びに／又は、電気及び機械的接続構成の何れか１つを有してもよい。さらに、所与の照明ユニットは、光源の動作に関連する様々な他の構成要素（例えば制御回路）に任意選択的に関連付けられてもよい（例えば含む、結合される、及び／又は一緒にパッケージされる）。「ＬＥＤベースの照明ユニット」とは、上記した１つ以上のＬＥＤベースの光源を、単独で又はその他の非ＬＥＤベースの光源との組合せで含む照明ユニットを指す。「マルチチャネル」照明ユニットとは、それぞれ異なる放射スペクトルを発生する少なくとも２つの光源を含むＬＥＤベースの又は非ＬＥＤベースの照明ユニットを指すものであり、各異なる光源スペクトルは、マルチチャネル照明ユニットの「チャネル」と呼ばれる。
【００４０】
[0040]  「コントローラ」との用語は、本明細書では、一般に、１つ以上の光源の動作に関連する様々な装置を説明するために使用される。コントローラは、本明細書で説明した様々な機能を実行するように、数多くの方法（例えば専用ハードウエアを用いて）で実施できる。「プロセッサ」は、本明細書で説明した様々な機能を実行するように、ソフトウエア（例えばマイクロコード）を使用してプログラムすることのできる１つ以上のマイクロプロセッサを使用するコントローラの一例である。コントローラは、プロセッサを使用してもしなくても実施でき、また、幾つかの機能を実行する専用ハードウエアと、その他の機能を実行するプロセッサ（例えばプログラムされた１つ以上のマイクロプロセッサ及び関連回路）の組み合わせとして実施されてもよい。本開示の様々な実施態様において使用されてもよいコントローラ構成要素の例としては、次に限定されないが、従来のマイクロプロセッサ、特定用途向けＩＣ（ＡＳＩＣ）、及びフィールドプログラマブルゲートアレイ（ＦＰＧＡ）がある。
【００４１】
[0041]  様々な実施態様において、プロセッサ又はコントローラは、１つ以上の記憶媒体（本明細書では総称的に「メモリ」と呼び、例えばＲＡＭ、ＰＲＯＭ、ＥＰＲＯＭ及びＥＥＰＲＯＭ、フロッピー（登録商標）ディスク、コンパクトディスク、光学ディスク、磁気テープ等の揮発性及び不揮発性のコンピュータメモリ）と関連付けられる。幾つかの実施態様において、記憶媒体は、１つ以上のプロセッサ及び／又はコントローラ上で実行されると、本明細書で説明した機能の少なくとも幾つかを実行する１つ以上のプログラムによって、コード化されてもよい。様々な記憶媒体は、プロセッサ又はコントローラ内に固定されてもよいし、又は、その上に記憶された１つ以上のプログラムが、本明細書で説明した本発明の様々な態様を実施するように、プロセッサ又はコントローラにロードされるように可搬型であってもよい。「プログラム」又は「コンピュータプログラム」との用語は、本明細書では、一般的な意味で、１つ以上のプロセッサ又はコントローラをプログラムするように使用できる任意のタイプのコンピュータコード（例えばソフトウエア又はマイクロコード）を指して使用される。
【００４２】
[0042]  「アドレス可能」との用語は、本明細書では、自分自身を含む複数のデバイスに向けた情報（例えばデータ）を受信して、自分自身に向けられた特定の情報に選択的に応答するデバイス（例えば、光源全般、照明ユニット又は固定具、１つ以上の光源若しくは照明ユニットに関連付けられたコントローラ又はプロセッサ、他の非照明関連デバイス等）を指すために使用される。「アドレス可能」との用語は、多くの場合、ネットワークで結ばれた環境（すなわち、以下に詳細に説明される「ネットワーク」）に関連して使用され、ネットワークで結ばれた環境では、複数のデバイスが何らかの１つ以上の通信媒体を介して互いに結合されている。
【００４３】
[0043]  １つのネットワーク実施態様では、ネットワークに結合された１つ以上のデバイスが、当該ネットワークに結合された１つ以上の他のデバイスのコントローラとしての機能を果たす（例えばマスタ／スレーブ関係において）。別の実施態様では、ネットワークで結ばれた環境は、当該ネットワークに結合されたデバイスのうちの１つ以上を制御する１つ以上の専用コントローラを含む。通常、ネットワークに結合された複数のデバイスは、それぞれ、１つ以上の通信媒体上にあるデータへのアクセスを有するが、所与のデバイスは、例えば、当該デバイスに割り当てられた１つ以上の特定の識別子（例えば「アドレス」）に基づいて、ネットワークとデータを選択的に交換する（すなわち、ネットワークからデータを受信する及び／又はネットワークにデータを送信する）点で、「アドレス可能」である。
【００４４】
[0044]  「ネットワーク」との用語は、本明細書において使用される場合、（コントローラ又はプロセッサを含む）任意の２つ以上のデバイス間及び／又はネットワークに結合された複数のデバイス間での（例えばデバイス制御、データ記憶、データ交換等のための）情報の転送を容易にする２つ以上のデバイスの任意の相互接続を指す。容易に理解されるように、複数のデバイスを相互接続するのに適したネットワークの様々な実施態様は、様々なネットワークトポロジのうちの何れかを含み、様々な通信プロトコルのうちの何れかを使用することができる。さらに、本開示による様々なネットワークにおいて、２つのデバイス間の接続はいずれも、２つのシステム間の専用接続を表わすか、又は、これに代えて非専用接続を表わしてもよい。２つのデバイス用の情報を担持することに加えて、当該非専用接続（例えばオープンネットワーク接続）は、必ずしも２つのデバイス用ではない情報を担持することがある。
【００４５】
[0045]  なお、前述の概念及び以下でより詳しく説明する追加の概念のあらゆる組み合わせ（これらの概念が互いに矛盾しないものであることを条件とする）は、本明細書で開示される本発明の主題の一部をなすものと考えられることを理解すべきである。特に、本開示の終わりに登場するクレームされる主題のあらゆる組み合わせは、本明細書に開示される本発明の主題の一部であると考えられる。なお、参照により組み込まれる任意の開示内容にも登場する、本明細書にて明示的に使用される用語には、本明細書に開示される特定の概念と最も整合性のある意味が与えられるべきであることを理解すべきである。
【００４６】
[0046]  図面では、同様の参照文字が異なる図面を通して一般に同じパーツを指す。更に、図面は必ずしも縮尺通りではなく、むしろ本発明の原理を解説する際には一般に強調されている。
【図面の簡単な説明】
【００４７】
【図１】[0047]  娯楽産業で使用される従来の配電ラックを示す。
【図２】[0048]  図１に示されている配電ラックと共に使用されることが多い従来の６回路ケーブルを示す。
【図３】[0049]  ＰＬＣ対応配電システムの実施形態の一例を示す。
【図４】[0050]  ＰＬＣ対応配電システムで使用するための単一ＡＣ回路ＰＬＣインジェクションモジュールの実施形態の一例を示す。
【図５】[0051]  別の製品に直接統合され得るＰＬＣ受信機の一例を示す。
【図６】[0052]  統合ＰＬＣ受信機モジュールを搭載しない機器と共に使用するための、イーサネット（登録商標）及び／又はＤＭＸデータ出力を有する単一回路独立型ＰＬＣ受信機の一例を示す。
【図７】[0053]  ＰＬＣ送信機が複数のＡＣ回路にわたって共用される典型的応用例のための、ＰＬＣ対応配電システムの別の実施形態の一例を示す。
【図８】[0054]  図８−Ｉ及び図８−ＩＩに分けられており、図７に示されているＰＬＣ対応配電システム内で使用され得る、３つのＰＬＣ送信機及び最大３相の動作のサポートを有する１２ＡＣ回路ＰＬＣインジェクタの実施形態の一例を示す。
【図９】[0055]  図７に示されているＰＬＣ対応配電システム内で使用され得る、３つのＰＬＣ送信機及び最大３相の動作のサポートを有する６ＡＣ回路ＰＬＣインジェクタの実施形態の一例を示す。
【図１０】[0056]  ＰＬＣ送信機が複数のＡＣ回路にわたって共用される典型的応用例のための、ＰＬＣ対応配電システムの別の実施形態の一例を示す。
【図１１】[0057]  低帯域幅要件を有する費用重視の応用例のための、１つのＰＬＣ送信機を有する６ＡＣ回路ＰＬＣインジェクタを示す。
【図１２】[0058]  １つのＰＬＣ受信機を有する、６ＡＣ回路ＰＬＣ受信機ブレークアウトを示す。
【図１３】[0059]  システムレベルにおけるＰＬＣリピータの一例示的構成を示す。
【図１４】[0060]  ＰＬＣリピータの直列の一例示的実装形態を示す。
【図１５】[0061]  単一点ＡＣ電力接続を有するＰＬＣリピータの一例示的実装形態を示す。
【発明を実施するための形態】
【００４８】
[0062]  以下の詳細な説明では、本教示の完全な理解を与えるために、具体的詳細を開示する代表的実施形態が限定ではなく説明目的で記載されている。但し、本明細書で開示される具体的詳細から逸脱する本教示による他の実施形態も添付の特許請求の範囲に依然として含まれることが本開示の利益を享受する当業者に明らかになる。更に、代表的実施形態の説明を不明瞭にしないために、良く知られている機器及び方法についての説明が省略される場合がある。かかる方法及び機器は明らかに本教示の範囲に含まれる。
【００４９】
[0063]  本発明の多くの実施形態は、ＰＬＣ送信機を含み、独立した製品であり又は他の機器若しくは照明器具に統合されるＰＬＣ受信機及び／又はＰＬＣ受信機モジュールに接続される、ＰＬＣ対応配電システム（配電ラックと呼ばれることもある）、及びシステムの性能／拡張性／使い勝手を改善する様々なプロセスに関する。
【００５０】
[0064]  図３は、ＰＬＣ対応配電システム３００の実施形態の一例を示す。ＰＬＣ対応配電システム３００は、メインシステムコントローラ及びＤＣ電源３１０、複数の単一ＡＣ回路ＰＬＣインジェクションモジュール３２０−１、３２０−２、．．．３２０−ｎ、６回路出力部コネクタ３３５、及びＮＥＭＡ  ５−２０コネクタ、ＮＥＭＡ  Ｌ６−２０コネクタ、ステージピンコネクタ、端子ブロックによって終端され得るコネクタ等のうちの１つ又は複数を含み得る複数の更なる個々の出力コネクタ３３７を含む。一部の実施形態では、ＰＬＣ対応配電システム３００のこれらの構成要素の全てが同じキャビネット又はラック内に搭載されても良い。
【００５１】
[0065]  メインシステムコントローラ及びＤＣ電源３１０は、データ入出力接続３１２、マイクロプロセッサ３１４、ユーザインターフェイス（ＵＩ）３１６、及びＡＣ−ＤＣ電力変換器３１８を含む。データ入出力接続３１２は、ＰＬＣ対応配電システム３００（及びＰＬＣ対応配電システム３００に接続される１つ又は複数のＰＬＣ対応装置）と、コンピュータ、コントローラ、サーバ等の任意の外部装置との間で、例えば外部通信ネットワークを介してデータ（例えばＰＬＣ対応配電システム３００の動作を制御するための制御データ）を伝達できる、１つ若しくは複数のＤＭＸ入出力接続及び／又は１つ若しくは複数のイーサネット（登録商標）入出力接続を含み得る。ユーザインターフェイス３１６は、利用者又はオペレータがＰＬＣ対応配電システム３００と対話すること（例えば構成すること）を可能にするディスプレイ及び／又は様々な操作部を含み得る。
【００５２】
[0066]  動作中、ＰＬＣ対応配電システム３００が、入力３０５を介して入力電気サービス（単相又は多相ＡＣ電力）を受け取り、ＡＣ−ＤＣ電力変換器３１８及び単一ＡＣ回路ＰＬＣインジェクションモジュール３２０−１、３２０−２、．．．３２０−ｎのそれぞれに接続される、ＡＣ電力入力部３０７を介してＡＣ電圧を供給する。ＡＣ−ＤＣ電力変換器３１８は、このＡＣ電圧を１つ又は複数のＤＣ電圧に変換し、ＡＣ−ＤＣ電力変換器３１８は、そのＤＣ電圧を１つ又は複数のＤＣ電圧供給線３０９を介して単一ＡＣ回路ＰＬＣインジェクションモジュール３２０−１、３２０−２、．．．３２０−ｎのそれぞれに供給する。
【００５３】
[0067]  ＰＬＣ対応配電システム３００では、各単一ＡＣ回路ＰＬＣインジェクションモジュールが、１つのＡＣ回路に対してＰＬＣデータを伝達するための１つのＰＬＣ送信機を含む。この場合もやはり、上記のように、単一ＡＣ回路ＰＬＣインジェクションモジュールの通常動作での主な機能を示すために、ここでは単一ＡＣ回路ＰＬＣインジェクションモジュールがＰＬＣ送信機を含むものとして記載されているが、概してＰＬＣ送信機は、ＰＬＣデータを送受信することができるＰＬＣトランシーバとすることができる。
【００５４】
[0068]  図４は、ＰＬＣ対応配電システム３００等のＰＬＣ対応配電システムで使用するための単一ＡＣ回路ＰＬＣインジェクションモジュール４００の実施形態の一例を示す。単一ＡＣ回路ＰＬＣインジェクションモジュール４００は、ＰＬＣ対応配電システム３００の単一ＡＣ回路ＰＬＣインジェクションモジュール３２０−１、３２０−２、．．．３２０−ｎの一実施形態であり得る。
【００５５】
[0069]  単一ＡＣ回路ＰＬＣインジェクションモジュール４００は、ＡＣ出力制御／ＰＬＣインジェクション回路４０２を含み、そのＡＣ出力制御／ＰＬＣインジェクション回路４０２は、データ入出力接続４１０、マイクロプロセッサ４２０、及びＰＬＣチップセット４３０を含む。単一ＡＣ回路ＰＬＣインジェクションモジュール４００は、ＰＬＣ結合変成器／回路４４０、ＰＬＣブロッキングラインフィルタ４５０、電力継電器４６０、及び回路遮断器４７０を更に含む。回路遮断器４７０は、安全上必要であり又は便宜上望ましい場合があるが、本発明の決定的要素ではない。単一ＡＣ回路ＰＬＣインジェクションモジュール４００は、１つのＡＣ回路４１１に対してＰＬＣデータを伝達するための１つのＰＬＣ送信機（例えばＡＣ出力制御／ＰＬＣインジェクション回路４０２、ＰＬＣ結合変成器／回路４４０、ＰＬＣブロッキングラインフィルタ４５０、及び電力継電器４６０）を含む。この場合もやはり、上記のように、単一ＡＣ回路ＰＬＣインジェクションモジュールの通常動作での主な機能を示すためにここではＰＬＣ送信機と呼ばれているが、概してＰＬＣ送信機は、ＰＬＣデータを送受信することができるＰＬＣトランシーバとすることができる。
【００５６】
[0070]  データ入出力接続４１０は、単一ＡＣ回路ＰＬＣインジェクションモジュール４００（及びＰＬＣ対応配電システム３００に接続される１つ又は複数のＰＬＣ対応装置）と、コンピュータ、コントローラ、サーバ等の任意の外部装置との間で、例えばＰＬＣ対応配電システム３００のデータ入出力接続３１２を介してデータ（例えば単一ＡＣ回路ＰＬＣインジェクションモジュール４００の動作を制御するための制御データ）を伝達できる、１つ若しくは複数のＤＭＸ入出力接続及び／又は１つ若しくは複数のイーサネット（登録商標）入出力接続を含み得る。
【００５７】
[0071]  動作中、単一ＡＣ回路ＰＬＣインジェクションモジュール４００が、データ入出力接続４１０を介してデータを受け取り及び／又は入出力し、ＰＬＣデータを有するＡＣ回路４１１との間でそのデータを結合する。単一ＡＣ回路ＰＬＣインジェクションモジュール４００の動作の更なる詳細については以下で説明する。
【００５８】
[0072]  ＰＬＣチップセット４３０及びＰＬＣ結合変成器／回路４４０は、合わせてＰＬＣトランシーバ回路と呼ばれても良い。
【００５９】
[0073]  ＰＬＣチップセット４３０は、ＰＬＣ結合変成器／回路４４０を介してＡＣ回路４１１との間でデータをインターフェイスするための、市販の既製品（ＯＴＳ：off-the-shelf）のチップセットを含むことができる。ＰＬＣチップセット４３０は、割り当てられた一意のＰＬＣネットワークＩＤ／セキュリティＩＤ又はセキュリティコードを用いて動作するように構成されても良く、そのためＰＬＣチップセット４３０は、その一意のＰＬＣネットワークＩＤ／セキュリティコードを共有する他のＰＬＣ対応装置とだけＰＬＣデータをやり取りする。
【００６０】
[0074]  ＰＬＣ結合変成器／回路４４０は、ＰＬＣブロッキングラインフィルタ４５０及び（任意選択的に）電力継電器４６０を介し、ＡＣ回路４１１にＡＣ電力を供給するＡＣ電力入力部３０７に結合され、ＰＬＣチップセット４３０の制御下でＰＬＣデータをＡＣ回路４１１との間で結合する。ＰＬＣ結合変成器／回路４４０は、業界内で理解されているＰＬＣ対応装置の一般的な構成要素であり、従ってその更なる詳細は説明しない。
【００６１】
[0075]  ＰＬＣブロッキングラインフィルタ４５０は、ＡＣ回路４１１に乗るＰＬＣデータが、ＡＣ電力入力部３０７に向けてＰＬＣブロッキングラインフィルタ４５０を通過するのをフィルタリングし又はブロックする。概して、ＡＣ回路４１１上のＰＬＣデータは、典型的には５０Ｈｚ又は６０ＨｚであるＡＣ電力よりも著しく高い周波数で伝達される。その場合、一部の実施形態では、ＰＬＣブロッキングラインフィルタ４５０のフィルタが低域フィルタを含むことができる。有利には、ＰＬＣブロッキングラインフィルタ４５０は、単一ＡＣ回路ＰＬＣインジェクションモジュール４００及び／又はＡＣ回路４１１に接続される別のＰＬＣ対応装置によってＡＣ回路４１１上に置かれるＰＬＣデータがＡＣ電力入力部３０７に戻るのをフィルタで除去することができる。有利には、ＰＬＣブロッキングラインフィルタ４５０は、ＡＣ電力入力部３０７が接続される別のＰＬＣインジェクションモジュールからＡＣ電力入力部３０７上に結合されている任意の残留ＰＬＣデータが、単一ＡＣ回路ＰＬＣインジェクションモジュール４００及びＡＣ回路４１１に更に結合されるのもフィルタリングすることができる。つまり動作中、単一ＡＣ回路ＰＬＣインジェクションモジュール４００は、ＰＬＣデータをＡＣ電力線３０７上に投入し、ＰＬＣデータの送信及び受信の両方を行うことができる。ＰＬＣブロッキングラインフィルタは、ＡＣ電力入力部３０７によって供給される他のＡＣ回路にＰＬＣデータが伝搬し、潜在的に干渉、使用可能帯域幅の減少、及び／又は信頼できない動作を引き起こすことを抑制し若しくは防ぐ。ＰＬＣブロッキングラインフィルタ４５０は理想的な構成要素という訳ではなく、従ってＰＬＣブロッキングラインフィルタ４５０が自らを通過するＰＬＣデータ又はＰＬＣ信号の水準を例えば指定の減衰率（例えばｄＢ単位）フィルタリングし又は減衰しても、概してＰＬＣデータ又はＰＬＣ信号の幾らかの残留成分がＰＬＣブロッキングラインフィルタ４５０を通過するのを完全には遮断できない場合があることを当然ながら理解すべきである。
【００６２】
[0076]  電力継電器４６０は、マイクロプロセッサ４２０の制御下でＡＣ回路４１１をオン／オフできるようにする。電力継電器４６０は、一般的な電力スイッチングに使用され得るが、以下でより詳細に説明されるように、システムのセットアップ及び構成中に使用されても良い。電力継電器４６０は、本明細書に記載の高度な／特化された機能／手順の特定の実装形態（自動発見機能の特定の実装形態等）に有益だが、全ての実施形態に必須という訳ではない。従って、単一ＡＣ回路ＰＬＣインジェクションモジュール４００の一部の実施形態では、電力継電器４６０を省略しても良い。
【００６３】
[0077]  回路遮断器４７０は、安全及びコード上の要件から配電システム内で必要とされ得る従来の構成要素であり、従ってその更なる詳細は説明しない。
【００６４】
[0078]  図５は、照明要素、調光器、オーディオ部品等の別の製品又は構成要素内に直接統合され得る、統合ＰＬＣ受信機モジュール５００の一例を示す。ＰＬＣ受信機モジュール５００は、例えばＰＬＣ対応配電システム３００によって供給されても良いＰＬＣを有するＡＣ回路４１１に接続され得る。
【００６５】
[0079]  ＰＬＣ受信機モジュール５００は、マイクロプロセッサ５２０、ＰＬＣチップセット５３０、及びＰＬＣ結合変成器／回路５４０を含む。
【００６６】
[0080]  ＰＬＣチップセット５３０は、ＰＬＣ結合変成器／回路５４０を介してＡＣ回路４１１との間でデータをインターフェイスするための、市販の既製品（ＯＴＳ）のチップセットを含むことができる。ＰＬＣチップセット５３０は、割り当てられた一意のＰＬＣネットワークＩＤ／セキュリティＩＤ又はセキュリティコードを用いて動作するように構成されても良く、そのためＰＬＣチップセット５３０は、その一意のＰＬＣネットワークＩＤ／セキュリティコードを共有する他のＰＬＣ対応装置とだけＰＬＣデータをやり取りする。
【００６７】
[0081]  ＰＬＣ結合変成器／回路５４０は、ＡＣ回路４１１に結合され、ＰＬＣチップセット５３０の制御下でＰＬＣデータをＡＣ回路４１１との間で結合する。ＰＬＣ結合変成器／回路５４０は、業界内で理解されているＰＬＣ対応装置の一般的な構成要素であり、従ってその更なる詳細は説明しない。
【００６８】
[0082]  マイクロプロセッサ５２０は、関連する製品又は構成要素とデータ（例えば制御データ）をやり取りすることができる。例えばマイクロプロセッサ５２０は、ＰＬＣを有するＡＣ回路４１１を介して受け取られる制御データを関連する照明要素に供給し、それによりその照明要素の強度、調光レベル、色、明滅等の１つ又は複数のパラメータを制御することができる。上記のように、ＰＬＣ受信機モジュール５００はその主な動作モードに言及されているが、ＰＬＣ受信機モジュール５００は、ＰＬＣを有するＡＣ回路４１１上にＰＬＣ結合変成器／回路５４０を介してデータを伝送しても良いことを理解すべきである。
【００６９】
[0083]  様々な実施形態において、ＰＬＣ受信機モジュール５００の様々な構成要素向けのＤＣ電力が、ＡＣ／ＤＣ変換器（不図示）によって、ＰＬＣ受信機モジュール５００に関連する外部製品若しくは構成要素、又はＰＬＣチップセット５３０によって供給され得る。
【００７０】
[0084]  図６は、統合ＰＬＣ受信機モジュールを全く搭載しない機器と共に使用するための、イーサネット（登録商標）及び／又はＤＭＸデータ出力を有する独立型単一回路ＰＬＣ受信機６００の一例を示す。ＰＬＣ受信機６００は、例えばＰＬＣ対応配電システム３００によって供給されても良いＰＬＣを有するＡＣ回路４１１に接続され得る。
【００７１】
[0085]  ＰＬＣ受信機６００は、ＡＣ入力／ＰＬＣ抽出回路６０２及びＰＬＣ結合変成器／回路６４０を含む。ＡＣ入力／ＰＬＣ抽出回路６０２は、データ入出力接続６１０、マイクロプロセッサ６２０、ＰＬＣチップセット６３０、及びユーザインターフェイス６５０を含む。
【００７２】
[0086]  データ入出力接続６１０は、ＰＬＣ受信機６００（従って潜在的にＰＬＣ受信機６００が接続されるＰＬＣインジェクションモジュール４００）と、照明要素、調光器、オーディオ部品等の任意の外部装置との間で、データ（例えば外部装置の動作を制御するための制御データ）を伝達できる、１つ若しくは複数のＤＭＸ入出力接続及び／又は１つ若しくは複数のイーサネット（登録商標）入出力接続を含み得る。
【００７３】
[0087]  ＰＬＣチップセット６３０は、ＰＬＣ結合変成器／回路６４０を介してＡＣ回路４１１との間でデータをインターフェイスするための、市販の既製品（ＯＴＳ）のチップセットを含むことができる。ＰＬＣチップセット６３０は、割り当てられた一意のＰＬＣネットワークＩＤ／セキュリティＩＤ又はセキュリティコードを用いて動作するように構成されても良く、そのためＰＬＣチップセット６３０は、その一意のＰＬＣネットワークＩＤ／セキュリティコードを共有する他のＰＬＣ対応装置とだけＰＬＣデータをやり取りする。
【００７４】
[0088]  ＰＬＣ結合変成器／回路６４０は、ＡＣ回路４１１に結合され、ＰＬＣチップセット６３０の制御下でＰＬＣデータをＡＣ回路４１１との間で結合する。ＰＬＣ結合変成器／回路６４０は、業界内で理解されているＰＬＣ対応装置の一般的な構成要素であり、従ってその更なる詳細は説明しない。
【００７５】
[0089]  ユーザインターフェイス６５０は、利用者又はオペレータがＰＬＣ受信機６００と対話すること（例えば構成すること）を可能にするディスプレイ及び／又は様々な操作部を含み得る。
【００７６】
[0090]  様々な実施形態において、ＰＬＣ受信機６００の様々な構成要素向けのＤＣ電力が、ＡＣ／ＤＣ変換器（不図示）によって、ＰＬＣ受信機６００に関連する外部製品若しくは構成要素、又はＰＬＣチップセット６３０によって供給され得る。
【００７７】
[0091]  図７は、ＰＬＣ対応配電システム７００の別の実施形態を示す。図７内で同じように番号付けされた要素は、図３内のそれらの要素と同じとすることができ、そのためその繰り返しの説明は省略する。一部の実施形態では、ＰＬＣ対応配電システム７００が単一のキャビネット又はラック内に搭載されても良い。
【００７８】
[0092]  ＰＬＣ対応配電システム７００は、１２ＡＣ回路ＰＬＣインジェクションモジュール７２０−１及び６ＡＣ回路ＰＬＣインジェクションモジュール７２０−２を含む。１２ＡＣ回路ＰＬＣインジェクションモジュール７２０−１は１２のＡＣ回路によって共用されるのに対し、６ＡＣ回路ＰＬＣインジェクションモジュール７２０−２は６つのＡＣ回路によって共用される。１２ＡＣ回路ＰＬＣインジェクションモジュール７２０−１及び６ＡＣ回路ＰＬＣインジェクションモジュール７２０−２の実施形態を図８及び図９に関して以下で説明し、ＰＬＣ送信機は複数のＡＣ回路にわたって共用される。最大可能帯域幅が必要とされない場合、ＰＬＣ送信機を複数のＡＣ回路にわたって共用することはシステム費を減らす良い方法である。
【００７９】
[0093]  一部の実施形態では、ＰＬＣ対応配電システム７００が３相の動作をサポートする。３相の電気システムでは、ＰＬＣ信号が或る位相から別の位相に確実に結合されてもされなくても良い。この理由から、有利には、特定のＰＬＣ送信機に接続される全てのＡＣ回路が同じ位相（又は分岐回路が複数の位相から成る場合は位相の対／群）に接続されるように、ＰＬＣ対応配電システム７００内の複数のＡＣ回路にわたって共用されるＰＬＣ送信機が構成され得る。
【００８０】
[0094]  図８は、図８−Ｉ及び図８−ＩＩに分けられており、図７に示されているＰＬＣ対応配電システム７００内で使用され得る、３つのＰＬＣ送信機及び最大３相の動作のサポートを有する１２ＡＣ回路ＰＬＣインジェクタ８００の実施形態の一例を示す。具体的には、１２ＡＣ回路ＰＬＣインジェクタ８００は、対応する回路遮断器、例えば回路遮断器８７０−１、８７０−２、８７０−３、及び８７０−４をそれぞれ含む、４つの対応するＡＣ回路、例えばＡＣ回路８１１、８１２、８１３、及び８１４にＰＬＣデータを伝達するための、ＡＣ出力制御／ＰＬＣインジェクション回路４０２、ＰＬＣ結合変成器／回路４４０、ＰＬＣブロッキングラインフィルタ４５０、及び電力継電器４６０をそれぞれ含む３つの同一のＰＬＣ送信機を示す。これらの構成要素のそれぞれについては図４に関して上記で説明されており、そのためその説明は繰り返さない。１２ＡＣ回路ＰＬＣインジェクタ８００では、３つのＰＬＣ送信機のそれぞれが、１２ＡＣ回路ＰＬＣインジェクタ８００が接続される入力電気回路の３相の対応する位相に接続される。
【００８１】
[0095]  図８は３相のＡＣ電力の構成を示すが、他の実施形態では、３つのＰＬＣ送信機に単一の位相、１対の位相、又は位相の任意の組合せが使用されても良いことを理解すべきである。更に、１２ＡＣ回路ＰＬＣインジェクタ８００は、３つの別々のＰＬＣ送信機のモジュール構成を示すが、他の実施形態では、データ入出力接続４１０やマイクロプロセッサ４２０等の一部の構成要素がＰＬＣ送信機の間で共用され又は結合されても良い。但し、概して各ＰＬＣ送信機は、独自のＰＬＣチップセット４３０、ＰＬＣ結合変成器／回路４４０、ＰＬＣブロッキングラインフィルタ４５０、及び電力継電器４６０を有することができる。
【００８２】
[0096]  図９は、図７に示されているＰＬＣ対応配電システム７００内で使用され得る、３つのＰＬＣ送信機及び最大３相の動作のサポートを有する６ＡＣ回路ＰＬＣインジェクタ９００の実施形態の一例を示す。６ＡＣ回路ＰＬＣインジェクタ９００は、図８に示され、上記で説明された１２ＡＣ回路ＰＬＣインジェクタ８００に似ており、主な違いは、６ＡＣ回路ＰＬＣインジェクタ９００内のＰＬＣ送信機のそれぞれが、対応する回路遮断器、例えば回路遮断器９７０−１及び９７０−２をそれぞれ含む２つのＡＣ回路、例えばＡＣ回路９１１及び９１２に接続されていることである。従って、６ＡＣ回路ＰＬＣインジェクタ９００の更なる説明は省略する。
【００８３】
[0097]  図１０は、ＰＬＣ送信機が複数のＡＣ回路にわたって共用される典型的応用例のための、ＰＬＣ対応配電システム１０００の別の実施形態の一例を示す。図１０内で同じように番号付けされた要素は、図３及び図７内のそれらの要素と同じとすることができ、そのためその繰り返しの説明は省略する。ＰＬＣ対応配電システム１０００は、ＰＬＣ対応配電システム７００に似ており、主な違いは、ＰＬＣ対応配電システム１０００が第１の６ＡＣ回路ＰＬＣインジェクタ１０２０−１及び第２の６ＡＣ回路ＰＬＣインジェクタ１０２０−２を含むことである。従って、ＰＬＣ対応配電システム１０００の更なる説明は省略する。一部の実施形態では、ＰＬＣ対応配電システム１０００が単一のキャビネット又はラック内に搭載されても良い。
【００８４】
[0098]  図１１は、低帯域幅要件を有する費用重視の応用例のための、６つのＡＣ回路を支援する１つのＰＬＣ送信機を有する６ＡＣ回路ＰＬＣインジェクタ１１００を示す。６ＡＣ回路ＰＬＣインジェクタ１１００は、ＰＬＣ対応配電システム１０００内の６ＡＣ回路ＰＬＣインジェクタ７２０−２として、又はＰＬＣ対応配電システム７００内の６ＡＣ回路ＰＬＣインジェクタ７２０−１として、及び／若しくはＰＬＣ対応配電システム１０００内のＰＬＣインジェクタ１０２０−２として使用され得る。
【００８５】
[0099]  図１２は、１つのＰＬＣ受信機を有する、６ＡＣ回路ブレークアウト装置１２００を示す。装置１２００は、６つのＰＬＣ対応ＡＣ回路４１１、４１２、４１３、４１４、４１５、及び４１６に接続され、６つの出力ＡＣ電力接続６０７、１２０８、１２０９、１２１０、１２１１、及び１２１２を供給する。ＡＣ入力／ＰＬＣ抽出回路６０２（データ入出力接続６１０、マイクロプロセッサ６２０、ＰＬＣチップセット６３０、及びユーザインターフェイス６５０を含む）及びＰＬＣ結合変成器／回路６４０を含む単一のＰＬＣ受信機が、上記のＰＬＣ受信機６００と同様にＰＬＣデータをＡＣ回路４１１との間で結合する。図１２及び図６内の同じ番号の要素は互いに同じとすることができ、従ってその繰り返しの説明は省略する。
【００８６】
[00100]  ＰＬＣ対応配電システム３００、ＰＬＣ対応配電システム７００、ＰＬＣ対応配電システム１０００、又は同様のＰＬＣ対応配電システムでは、配線が近接している場合、ＰＬＣデータが或るＡＣ回路から別のＡＣ回路に結合し又は「ジャンプ」し得る。この理由から、有利には、ＰＬＣ対応配電システム３００、７００、及び１０００の各ＰＬＣ送信機が、一意のＰＬＣネットワークＩＤ／セキュリティコードを有するように構成され得る。その場合、各ＰＬＣ送信機の電力継電器（例えば電力継電器４６０）は、ＰＬＣ対応装置の発見過程中の所与の時点においてオフにされ又は無効にされるように、単一のＰＬＣ送信機に接続されるＡＣ回路を除く全てのＡＣ回路に例えばマイクロプロセッサ３１４が命令することを可能にする。これにより、ＰＬＣ対応配電システムは、自らが発見する残りの任意のＰＬＣ対応装置（例えばＰＬＣ受信機）が、有効のままであり又はオンにされたままである特定のＰＬＣ送信機に接続されていることを確実にすることができる。発見されたＰＬＣ対応装置は、その時点で有効にされ又はオンである関連するＡＣ回路のＰＬＣ送信機のＰＬＣチップセット（例えばＰＬＣチップセット４３０）のＰＬＣネットワークＩＤ／セキュリティＩＤ又はセキュリティコードに合致する、特定のＰＬＣネットワークＩＤ／セキュリティＩＤ又はセキュリティコードでプログラムされ得る。
【００８７】
[00101]  ＰＬＣネットワークＩＤの発見及びリセット
使用されるＰＬＣネットワーキング技術は、事実上無限の数のネットワークＩＤの構成を可能にし得る。ＰＬＣ受信機（例えばＰＬＣ受信機６００）又はＰＬＣ受信機モジュール（例えばＰＬＣ受信機モジュール５００）のＰＬＣネットワークＩＤが既定値から変更されると、自らが前に構成されていた正確なネットワークＩＤを知ることなしに、ＰＬＣ受信機又はＰＬＣ受信機モジュールを遠隔的に再構成することができない場合がある。ＰＬＣ受信機及びＰＬＣ受信機モジュールは、ＰＬＣネットワークＩＤをプログラムし且つ／又はＰＬＣネットワークＩＤを既定値にリセットするために、ユーザインターフェイス及び／又はリセットボタン等の機能を含むことができる。しかし、一部の実施形態では、本明細書で開示されるＰＬＣネットワークＩＤ発見方法はこれらの機能を任意選択的とすることができる。
【００８８】
[00102]  遠隔的ＰＬＣネットワークＩＤ発見は、様々な方法を使用して実現され得る。それらの方法の３つの実施形態の例を以下に記載する。
【００８９】
[00103]  第１の方法によれば、ＰＬＣネットワークＩＤのリセットは、ＰＬＣ受信機及びＰＬＣ受信機モジュールが、起動又は電源投入後の所定の期間内にＰＬＣ送信機（例えば単一ＡＣ回路ＰＬＣインジェクションモジュール４００）から一切通信を受け取らない場合、自らのＰＬＣネットワークＩＤを既定のＰＬＣネットワークＩＤに再構成することを必要とする。その場合、ＰＬＣ対応配電システム３００、７００、及び１０００の一部の実施形態では、通常の動作中、ＰＬＣ送信機がデータパケットを周期的に送り、適切に構成されたＰＬＣ受信機及びＰＬＣ受信機モジュールが、構成後に自らのＰＬＣネットワークＩＤを既定のＰＬＣネットワークＩＤにリセットするのを防ぐことができる。
【００９０】
[00104]  ＰＬＣネットワークＩＤ発見の第２の方法によれば、事実上無限の数のあり得るＰＬＣネットワークＩＤが、ＰＬＣ対応配電システム３００、７００、又は１０００によって管理可能一覧に制限される。ネットワークＩＤの有限一覧では、（例えばメインシステムコントローラ及びＤＣ電源３１０の）制御システムが、それぞれあり得るネットワークＩＤで構成されるＰＬＣ受信機及びＰＬＣ受信機モジュールを逐次的に発見することにより、接続されている全てのＰＬＣ対応装置を発見し、再構成することができる。この発見過程は、以下のような手順に従うソフトウェアツールを使用して自動で実現され得る（この例では、発見されるＰＬＣ対応装置が既定のＰＬＣネットワークＩＤに構成される）：
・ＰＬＣ対応配電システムによって許可される可能なＰＬＣネットワークＩＤの有限一覧の中の、第１のＰＬＣネットワークＩＤを有するようにＰＬＣ送信機を構成する。
・第１のＰＬＣネットワークＩＤに構成されている任意のＰＬＣ受信機及びＰＬＣ受信機モジュールを発見する。
・発見された任意のＰＬＣ対応装置のＰＬＣネットワークＩＤを既定のＰＬＣネットワークＩＤに変更する。
・可能なＰＬＣネットワークＩＤの有限一覧内の各ＰＬＣネットワークＩＤについて上記のステップを繰り返す。
一部の実施形態では、ＰＬＣ対応配電システム内の１つ又は複数の追加のＰＬＣ送信機について、例えばＰＬＣ対応配電システム内の全てのＰＬＣ送信機についてこの処理が繰り返されても良い。
【００９１】
[00105]  ＰＬＣネットワークＩＤを既定のＰＬＣネットワークＩＤにリセットした後、あり得るＩＤの有限一覧から、新たな適切なＰＬＣネットワークＩＤがＰＬＣ対応装置にそれぞれ割り当てられ得る。上記の処理の一環として、（ＰＬＣネットワークＩＤを既定のＰＬＣネットワークＩＤに最初に設定するのではなく）発見されたＰＬＣ対応装置に異なる（既定ではない）ＰＬＣネットワークＩＤを割り当てることも可能であることは注目に値する。この手法はより単純に見えるが、多くのＡＣ回路を有するシステム内でより時間がかかるようになる対策を必要とする場合がある（異なる回路からのＡＣ出力配線間のクロストークが最も可能性が高い）。
【００９２】
[00106]  ＰＬＣネットワークＩＤをリセットする第３の方法は、ＰＬＣネットワークＩＤに関係なく、全てのＰＬＣ対応装置によって受け取られるブロードキャストＰＬＣコマンドを送る能力に依拠する。選ばれたＰＬＣ技術がこの能力をサポートする場合、ＰＬＣ送信機は、全てのＰＬＣ受信機及びＰＬＣ受信機モジュールに対して自らのＰＬＣネットワークＩＤを既定のＰＬＣネットワークＩＤにリセットするように伝えるグローバルコマンドを送ることができる。
【００９３】
[00107]  ＰＬＣネットワークＩＤの割り当て
有利には、特定のＡＣ回路に接続される全てのＰＬＣ対応装置（例えばＰＬＣ受信機やＰＬＣ受信機モジュール）に、それらのＰＬＣ対応装置が接続される特定のＡＣ回路に関連するＰＬＣ送信機（例えば単一ＡＣ回路ＰＬＣインジェクションモジュール４００）と同じＰＬＣネットワークＩＤが割り当てられるように、システム（例えばＰＬＣ対応配電システム３００）が構成され得る。有利には、本システムのＰＬＣ対応配電システム３００内の各ＰＬＣ送信機（例えば単一ＡＣ回路ＰＬＣインジェクションモジュール４００）に、通常動作用の一意のＰＬＣネットワークＩＤが割り当てられても良い。
【００９４】
[00108]  特定の応用例のためにシステム内のＰＬＣ対応装置にＰＬＣネットワークＩＤを割り当てる前に（例えば全てのＰＬＣ対応装置が既定のＰＬＣネットワークＩＤで構成され得る場合）、システム内のＰＬＣ対応装置の総数がＰＬＣ技術の限界を超える場合があることもある。その場合、各ＰＬＣ送信機のＰＬＣブロッキングラインフィルタ（例えばＰＬＣブロッキングラインフィルタ４５０）が、或るＰＬＣ送信機からのＰＬＣ通信がＡＣ入力３０７を通って戻り、他のＰＬＣ送信機と直接干渉するのを防ぐ。但し、上記のように、ＰＬＣデータ又は通信が或るＡＣ回路から別のＡＣ回路に結合し又は「ジャンプ」することが依然としてあり得る。ケーブルは決まって束ねて配線され、場合によってはＰＬＣ信号が或るケーブルから別のケーブルに容易に結合され得る。概して、各ＰＬＣ送信機及び関連するＰＬＣ対応装置に割り当てられた一意のＰＬＣネットワークＩＤでシステムが適切に構成されると、このケーブル間の干渉の影響ははるかに重大でなくなることが予期されるが、この干渉は、潜在的にシステムの構成過程を困難にし又は予測不能にする場合がある。この問題に対処するために、一部の実施形態では、ＰＬＣ対応配電システムが、適切なＰＬＣネットワークＩＤでそれぞれ構成されるまでＰＬＣ対応装置を隔離するために使用され得る、少なくとも１つの電力継電器（例えば電力継電器４６０）をＰＬＣ送信機ごとに含む。
【００９５】
[00109]  ＰＬＣネットワークＩＤは、様々な過程を使用して割り当てられ得る。一部の実施形態では、オンボードユーザインターフェイスを装着するＰＬＣ受信機及びＰＬＣ受信機モジュールが、利用者又はオペレータによって手動で構成されても良い。ＰＬＣ受信機及びＰＬＣ受信機モジュールのＰＬＣネットワークＩＤを利用者がシステムに自動で及び遠隔的に構成させたい場合、様々な代替的手順が存在する。それらの手順の２つの実施形態の例を以下に記載する。
【００９６】
[00110]  ＰＬＣネットワークＩＤを割り当てるための手順１は、例えば上記の方法の１つによって既定のＰＬＣネットワークＩＤに設定された全てのＰＬＣ対応装置から開始することを含む。この手順は、ＰＬＣ対応配電システム３００のＰＬＣ送信機内の電力継電器（例えば電力継電器４６０）を使用することができる。電力継電器は、ＰＬＣ対応配電システム３００が、特定のＰＬＣ送信機に関連するＡＣ回路を除く全てのＡＣ回路への電力を無効にし又はオフにすることを可能にする。１つのＰＬＣ送信機を除く全てに関連するＡＣ回路がオフであり又は無効にされると、発見される全てのＰＬＣ対応装置が、依然としてオンであり又は有効にされているＡＣ回路に接続されていることを確実にすることができる。オンのままであるＰＬＣ対応装置は、割り当てられた特定のＰＬＣネットワークＩＤで構成され得る。特定のＰＬＣ送信機に接続された全てのＰＬＣ対応装置が構成されると、その特定のＰＬＣ送信機のＰＬＣネットワークＩＤも、その特定の割り当てられたＰＬＣネットワークＩＤに変更され得る。この時点で、システムは電力継電器を使用して次のＰＬＣ送信機のＡＣ回路への電力をオンにし、他の各ＰＬＣ送信機についてこの過程を繰り返すことができる。有利には、特定のＰＬＣ送信機のＡＣ回路への電力は、自らのＡＣ回路に接続されるその及び他のＰＬＣ対応装置が特定の割り当てられたＰＬＣネットワークＩＤで構成されると、オフにする必要がない場合がある。
【００９７】
[00111]  ＰＬＣネットワークＩＤを割り当てるための手順２は、上記のＰＬＣネットワークＩＤのリセット方法１を作り直すことができる。一部の実施形態では、システムの起動時に、ＰＬＣ対応配電システム３００が各ＰＬＣ送信機に関連する電力継電器を使用し、各ＰＬＣ送信機に関連するＡＣ回路を、或るＰＬＣ送信機のＡＣ回路のスイッチオンと次のＰＬＣ送信機のＡＣ回路のスイッチオンとの間の短い遅延を伴って逐次的にオンにすることができる。ＰＬＣ対応配電システム３００並びにＰＬＣ受信機及びＰＬＣ受信機モジュールのそれぞれの中のカウンタが、電源がオンにされてからの経過時間を追跡しても良い。次いで、（適切な量の許容範囲を有する）特定の時間にわたってオンであった全てのＰＬＣ受信機及びＰＬＣ受信機モジュールに対し、自らのＰＬＣネットワークＩＤを特定の割り当てられたＰＬＣネットワークＩＤに変えるように命令するブロードキャストＰＬＣパケットを送ることにより、ＰＬＣ対応配電システム３００がＰＬＣネットワークＩＤを割り当てることができる。ＰＬＣ対応配電システム３００は、ＰＬＣ対応配電システム３００に接続されるＰＬＣ対応装置の全てが構成されるまで、このようなブロードキャストパケットをＰＬＣネットワークＩＤごとに（理想的にはＰＬＣ対応配電システム３００内のＰＬＣ送信機ごとに１つ）送ることができる。各ＰＬＣ送信機に接続されたＰＬＣ対応装置が構成された後、ＰＬＣ送信機は、自らのＰＬＣネットワークＩＤを既定のＰＬＣネットワークＩＤから自らのＡＣ回路に接続されたＰＬＣ対応装置に合致するＰＬＣネットワークＩＤに変えることができる。
【００９８】
[00112]  非常に長いケーブル長を伴う応用例では、関連するＰＬＣ送信機から離れて位置するＰＬＣ受信機及びＰＬＣ受信機モジュールがＰＬＣ信号を確実に受け取れない場合がある。既存のＰＬＣネットワーキング規格は、１つのＰＬＣネットワーク上でのＰＬＣリピータの使用を認めない場合がある。
【００９９】
[00113]  従ってこの問題に対処するために、図１３に示されているように、非常に長いケーブル長の事例では、２つの別々のＰＬＣネットワークＩＤに基づいて動作するリピータ１４００が設けられても良い。
【０１００】
[00114]  図１４は、２つの別々のＰＬＣネットワークＩＤに基づいて動作するＰＬＣリピータ１４００の一実施形態を示す。ＰＬＣリピータ１４００は、ＰＬＣを有するＡＣ回路４１１としてのＡＣ電力入力部、及びＰＬＣを有するＡＣ回路１４１１としてのＡＣ電力出力を有するＰＬＣリピータの直列の実装形態である。
【０１０１】
[00115]  ＰＬＣリピータ１４００は、第１のＰＬＣチップセット１４１０、第２のＰＬＣチップセット１４２０、マイクロプロセッサ及びインターフェイス回路１４３０、第１のＰＬＣ結合変成器／回路１４４０、ＰＬＣブロッキングラインフィルタ１４５０、任意選択的な電力継電器１４６０、及び第２のＰＬＣ結合変成器／回路１４７０を含む。ＰＬＣチップセット、ＰＬＣ結合変成器／回路、ＰＬＣブロッキングラインフィルタ、及び電力継電器については上記で説明されており、その繰り返しの説明は省略する。
【０１０２】
[00116]  動作上、第１のＰＬＣチップセット１４１０は第１のＰＬＣ結合変成器１４４０と共に動作して、第１のＰＬＣネットワークＩＤを有する或るＰＬＣネットワーク（「Ａ」）にＰＬＣデータを伝えるのに対し、第２のＰＬＣチップセット１４２０は第２のＰＬＣ結合変成器１４７０と共に動作して、第２のＰＬＣネットワークＩＤを有する第２のＰＬＣネットワーク（「Ｂ」）にＰＬＣデータを伝える。
【０１０３】
[00117]  具体的には、ＰＬＣリピータ１４００は、第１のＰＬＣチップセット１４１０及び第１のＰＬＣ結合変成器１４４０によってＰＬＣネットワークＡ上で受け取られるＰＬＣデータが、マイクロプロセッサ１４３０に供給されることを許可することができ、そのＰＬＣデータは、マイクロプロセッサ１４３０から第２のＰＬＣチップセット１４２０に与えられ、第２のＰＬＣチップセット１４２０及び第２のＰＬＣ結合変成器１４７０によってＰＬＣネットワークＢ上に伝送される。ＰＬＣネットワークＡ及びＰＬＣネットワークＢは、ＰＬＣブロッキングラインフィルタ１４５０及び任意選択的な電力継電器１４６０によって互いに分けられる。ＰＬＣブロッキングラインフィルタ１４５０は、２つのＰＬＣネットワークからの信号の重複を大幅に減らすことにより帯域幅の保護を助ける。出力電力をオン／オフできるようにするために、電力継電器１４６０が含められても良い。電力継電器１４６０は、上記の自動ネットワークＩＤリセット及び構成過程をＰＬＣリピータ１４００がサポートすることを可能にし得る。
【０１０４】
[00118]  図１５は、ＰＬＣデータが送受信される単一ＡＣ電力接続を有するＰＬＣリピータ１５００を示す。ＰＬＣブロッキングラインフィルタ１４５０及び電力継電器１４６０を除き、ＰＬＣリピータ１５００は、直列ＰＬＣリピータ１４００と同じ要素を内部に含む。直列ＰＬＣリピータ１４００に比べ、ＰＬＣリピータ１５００の方が少ない機能を有し得るが、より安価であり得る。
【０１０５】
[00119]  幾つかの発明実施形態を本明細書に説明し例示したが、当業者であれば、本明細書にて説明した機能を実行するための、並びに／又は、本明細書にて説明した結果及び／若しくは１つ以上の利点を得るための様々な他の手段及び／若しくは構造体を容易に想到できよう。また、このような変更及び／又は改良の各々は、本明細書に説明される発明実施形態の範囲内であるとみなす。より一般的には、当業者であれば、本明細書にて説明されるすべてのパラメータ、寸法、材料、及び構成は例示のためであり、実際のパラメータ、寸法、材料、及び／又は構成は、発明教示内容が用いられる１つ以上の特定用途に依存することを容易に理解できよう。当業者であれば、本明細書にて説明した特定の発明実施形態の多くの等価物を、単に所定の実験を用いて認識又は確認できよう。したがって、上記実施形態は、ほんの一例として提示されたものであり、添付の請求項及びその等価物の範囲内であり、発明実施形態は、具体的に説明された又はクレームされた以外に実施可能であることを理解されるべきである。本開示の発明実施形態は、本明細書にて説明される個々の特徴、システム、品物、材料、キット、及び／又は方法に関する。さらに、２つ以上のこのような特徴、システム、品物、材料、キット、及び／又は方法の任意の組み合わせも、当該特徴、システム、品物、材料、キット、及び／又は方法が相互に矛盾していなければ、本開示の本発明の範囲内に含まれる。
【図１】
0006416118.tif 000002
【図２】
0006416118.tif 000003
【図３】
0006416118.tif 000004
【図４】
0006416118.tif 000005
【図５】
0006416118.tif 000006
【図６】
0006416118.tif 000007
【図７】
0006416118.tif 000008
【図８−Ｉ】
0006416118.tif 000009
【図８−ＩＩ】
0006416118.tif 000010
【図９】
0006416118.tif 000011
【図１０】
0006416118.tif 000012
【図１１】
0006416118.tif 000013
【図１２】
0006416118.tif 000014
【図１３】
0006416118.tif 000015
【図１４】
0006416118.tif 000016
【図１５】
0006416118.tif 000017